(57)【特許請求の範囲】
【請求項１】
廃棄物等をまとめて、これを覆うことのできる網や布である布状体によって平面的に構成されるか、又は平面的に構成され該平面的構成の周縁部が折り返されて重ね合わせた部分を有し廃棄物の投入と共に立体を呈する覆いに、前記ごみ類等を投入するための投入口を設けてある覆いであって、前記覆いを広げ、ごみ袋や廃品である収集物を投入口から投入することで前記覆いが当該収集物を覆い、ごみ類が散乱することを防止できるようにした散乱防止用覆い。
【請求項２】
廃棄物等をまとめて、これを覆うことのできる網や布である布状体によって立体的に構成され、該立体上部に前記ごみ類等を投入するための投入口を設け下部に開口部を有する覆いであり、立体的に縫製された前記覆いの任意の場所における垂直方向の切断面において、下部開口部の幅が前記覆いの横幅最長部よりも短く、前記下部開口部が、平面的に見て外周部よりも内側に位置し、投入口から投入したゴミ袋等が前記覆いの裾上に載ることで鳥獣の侵入を防ぐと共に収集物の散乱防止効果を確実にすることを特徴とする散乱防止用覆い。
【請求項３】
前記投入口を設けた布状体を、支柱か腕部を有する支柱、あるいは連結体によって連結された支柱を設けてこれに掛着し、前記投入口を地上から浮かすことのできる構成である請求項１と２のいずれかに記載した、散乱防止用覆い。
【請求項４】
前記布状体の少なくとも一部を透明あるいは半透明とし、当該布状体の周縁部を不透明にして目隠し部を形成した請求項１ないし３に記載した、散乱防止用覆い。
【請求項５】
前記布状体の周縁部に、当該布状体周縁部と床との密着性を高める密着手段を配し、鳥獣の侵入を防止する構成である請求項１ないし４のいずれかに記載した、散乱防止用覆い。
【請求項６】
前記布状体の任意の場所に、威嚇用の模様を配すことで、鳥獣の侵入を防止する構成である請求項１ないし５のいずれかに記載した、散乱防止用覆い。
【請求項７】
請求項３に記載した散乱防止用覆いに使用する部材であって、複数の棒状体を柔軟弾性材によって曲折可能に接続するか、複数の棒状体を柔軟弾性体によって覆われた部材によって曲折可能に接続した、投入口を地上から浮かすための構成体。
【発明の詳細な説明】
【技術分野】
【０００１】
本発明はごみ集荷場等に於けるごみの散乱を防止する散乱防止用覆いに関するものである。
【背景技術】
【０００２】
近年、都市部ではカラスが生ごみの入ったゴミ袋を切り裂いて、中の残飯等を喰いあさり、袋の内容物を路上等に散乱させる被害が日常化している。強度のある大型ごみ収納箱を用いればこれらの被害は防げるが、ごみ集荷場を路上の一角に設定しなければならないという事情がこのごみ収納箱の設置を防げている。また、内部の見えない箱形ゴミ箱の設置は、内部の汚れを放置することにつながり、悪臭等非衛生的な結果を招きやすい欠陥を持っている。そこで、カラス等によるごみの散乱被害を食い止めるためにいくつもの発明がなされ、出願もされている。
【０００３】
【特許文献１】特開２００３−１２１０４          特開２００３−１２１０４に示された発明は、水平支持枠と、複数のネット保持アームと、該アームを所定の間隔で前記水平支持枠に取り付ける結合具とよりなり、前記結合具は前記保持アームを上下方向に枢動可能にする枢着手段と、水平位置及び及び少なくとも１つの情報位置で固定するストッパを有しているごみ置き場のネット支持装置、である。
【０００４】
一般にごみの管理が、各町内会等の取り組みに依存し、とりわけ年配者や婦人層の手にゆだねられていることを考えた時、この種の器具、装置類は重量が軽く、構成が単純であって扱いやすいものである必要がある。上記の意味において、この発明は部品数が多く、ここに記載された部材の構成は複雑であり、役員や当番の方が持ち帰って保管するという様な使い方をする場合には、全体の構成が大型で重い物になり、使いにくいものと考えられる。
【０００５】
また、カラスのもたらす散乱被害は都市部を中心に起こっており、これらの地域では特定の専用集荷場を用意することは難しく、路上の一角に臨時設定されることが一般的であって、そのことからも更に軽量で、非使用時はコンパクトな収納形体のとれる、扱いの簡単な散乱防止用覆いが求められる。
【０００６】
【特許文献２】特開平９−４７２１４          特開平９−４７２１４に示された発明は、ゴミ袋を投入するための投入口を有する、ゴム糸又はゴム紐からなる網目状ネットの外周に沿って設けて側面部を形成するための、化学繊維又は天然繊維からなる糸又は紐で編んだネットと、前記二つのネットをそれぞれ結節しこれら二つのネットを広げてごみ入り袋を集積する空間を形成するためのフレームと、該フレームを維持し又壁面などに固定するための保持具から構成されるごみ集積所散乱防止ネット装置である。
【０００７】
当該発明は異なる２種類のネットをフレームによって結束し、また、これら二つのネットを広げてごみ入り袋を集積する空間の形成を該フレームによって行う点で構成が複雑となり、また、フレームを有することから小さく折りたたんで地域役員や当番の方が持ち帰るという使い方には不自由が生じる。又、壁等に備え付ける構成について述べられているが、これも現時点での市中で行われている一般的な使用方法とは異なり、否使用時には路上に放置して置くことから、いたずら等による破損が懸念される。
【０００８】
【特許文献３】特開２００１−２４７２０３          特開２００１−２４７２０３はごみ収集用ネットは正方形、長方形のネットシート（１）に重り（２）を取り付けたことを特徴とするものであって、上記の問題点を解決するものである。シートの周縁部に重りを着けたものであるから、ごみの回収が済み次第小さく折りたたんで持ち帰ることができる。しかし、使用方法として、シートを大きくめくり上げ、ゴミ袋を奥の方に投入する必要がある。急ぐあまりゴミ袋をシート下に十分押し込まずに立ち去る人も多い。
【０００９】
この結果ゴミ袋は外へ外へと広がり、重りがあっても床面とシート端部に隙間ができるようになる。鳥獣、特にカラスは路面に足で立ち、隙間を見つけては頭を侵入させ、くちばしで袋を摘ん引きずり出した上で袋を食いちぎることが知られている。このことから、重りをつけることが鳥獣の食い散らしを防ぐ上で万全とは言えない。ゴミ袋の無造作な投入によっても確実にゴミ袋を覆うことのできる覆いの実現が望まれる。
【発明の開示】
【発明が解決しようとする課題】
【００１０】
ゴミ袋に入れた生ごみ等をごみ集荷場等に搬入し、無造作に投棄しても前記投棄したゴミ袋を確実に覆うことができてカラスや野良猫等鳥獣の侵入を防ぎ、コンパクトに収容できて持ち運びや収納のし易い、簡単な構造の「散乱防止用覆い」を提供すること。
【課題を解決するための手段】
【００１１】
廃棄物等をまとめて、これを覆うことのできる網や布である布状体によって平面的に構成されるか、又は平面的に構成され該平面的構成の周縁部が折り返されて重ね合わせた部分を有し廃棄物の投入と共に立体を呈する覆いに、前記ごみ類等を投入するための投入口を設けてある覆いであって、前記覆いを広げ、ごみ袋や廃品である収集物を投入口から投入することで前記覆いが当該収集物を覆い、ごみ類が散乱することを防止できるようにした散乱防止用覆いを供する。
【００１２】
廃棄物等をまとめて、これを覆うことのできる網や布である布状体によって立体的に構成され、該立体上部に前記ごみ類等を投入するための投入口を設け下部に開口部を有する覆いであり、立体的に縫製された前記覆いの任意の場所における垂直方向の切断面において、下部開口部の幅が前記覆いの横幅最長部よりも短く、前記下部開口部が、平面的に見て外周部よりも内側に位置し、投入口から投入したゴミ袋等が前記覆いの裾上に載ることで鳥獣の侵入を防ぐと共に収集物の散乱防止効果を確実にすることを特徴とする散乱防止用覆いを供する。
【００１３】
前記投入口を設けた布状体を、支柱か腕部を有する支柱、あるいは連結体によって連結された支柱を設けてこれに掛着し、前記投入口を地上から浮かすことのできる構成である散乱防止用覆いを供する。
【００１４】
前記布状体の少なくとも一部を透明あるいは半透明とし、当該布状体の周縁部を不透明にして目隠し部を形成した散乱防止用覆いを供する。
【００１５】
前記布状体の周縁部に、当該布状体周縁部と床との密着性を高める密着手段を配し、鳥獣の侵入を防止する構成である散乱防止用覆いを供する。
【００１６】
前記布状体の任意の場所に、威嚇用の模様を配すことで、鳥獣の侵入を防止する構成である散乱防止用覆いを供する。
【００１７】
散乱防止用覆いに使用する部材であって、複数の棒状体を柔軟弾性材によって曲折可能に接続するか、複数の棒状体を柔軟弾性体によって覆われた部材によって曲折可能に接続した、投入口を地上から浮かすための構成体を供する。
【発明の効果】
【００１８】
本発明は、廃棄物等をまとめて、これを覆うことのできる網や布である布状体によって平面的に構成されるか、又は平面的に構成され該平面的構成の周縁部が折り返されて重ね合わせた部分を有し廃棄物の投入と共に立体を呈する覆いに、前記ごみ類等を投入するための投入口を設けてある覆いであって、前記覆いを広げ、ごみ袋や廃品である収集物を投入口から投入することで前記覆いが当該収集物を覆い、ごみ類が散乱することを防止できるようにした散乱防止用覆いであるため次の効果を奏する。
【００１９】
投入口よりゴミ袋等を投入するため、散乱防止用覆いの中央部から順にゴミ袋が集積することから、覆いの端がゴミ袋にかかってしまったことによって生じる路面と覆いとの隙間から鳥獣が侵入し、食い散らかすという被害を防ぐことができる。
【００２０】
廃棄物等をまとめて、これを覆うことのできる網や布である布状体によって立体的に構成され、該立体上部に前記ごみ類等を投入するための投入口を設け下部に開口部を有する覆いであり、立体的に縫製された前記覆いの任意の場所における垂直方向の切断面において、下部開口部の幅が前記覆いの横幅最長部よりも短く、前記下部開口部が、平面的に見て外周部よりも内側に位置し、投入口から投入したゴミ袋等が前記覆いの裾上に載ることで鳥獣の侵入を防ぐと共に収集物の散乱防止効果を確実にすることを特徴とする散乱防止用覆いであるため次の効果を奏する。
【００２１】
下部開口部の幅が前記覆いの横幅最長部よりも短いことから、前記投入口から投げ込まれた収集物が下部開口部付近の覆いの裾上に載りやすく、前記収集物が前記下部開口部付近の覆い端部を路面に押しつけて収集物の散乱を防止し、カラスや野良猫等鳥獣の侵入を確実に妨げる。覆いの内部に立体的な空間を形成しやすく、投入したゴミ袋等が内部で積み重なり、効率よく整然と集積できる。
【００２２】
前記投入口を設けた布状体を、支柱か腕部を有する支柱、あるいは連結体によって連結された支柱を設けてこれに掛着し、前記投入口を地上から浮かすことのできる構成である散乱防止用覆いであるため次の効果を奏する。
【００２３】
投入口が地上に浮いていることから投入に当たってしゃがむ必要が無く、素早く投入できる。布状体を路面から浮かせることで布状体によって覆われた内部空間が立体的に確保され、収集物が空間内部で均一に分散され、収集物の投入もし易くなる。
【００２４】
前記布状体の少なくとも一部を透明あるいは半透明とし、当該布状体の周縁部を不透明にして目隠し部を形成した散乱防止用覆いであるため次の効果を奏する。
【００２５】
布状体と路面との間に隙間を作ってしまった場合でも、目隠し部を設けることでカラスがゴミ袋の内部を確認できなくなり、食い散らかしの被害防ぐ効果が生じる。また、透明部より内部が確認できると共に、周囲は視界を遮って美観を保つことが出来る。
【００２６】
前記布状体の周縁部に、当該布状体周縁部と床との密着性を高める密着手段を配し、鳥獣の侵入を防止する構成である散乱防止用覆いであるため次の効果を奏する。
【００２７】
密着手段を設けることでより確実にカラス等の侵入を妨ぎ、鳥獣による生ごみの喰い散らかし及びごみの散乱が防止できる。
【００２８】
前記布状体の任意の場所に、威嚇用の模様を配すことで、鳥獣の侵入を防止する構成である散乱防止用覆いであるため次の効果を奏する。
【００２９】
威嚇用の模様を配すことでカラス等を寄せ付けずに、鳥獣による生ごみの喰い散らかし及びごみの散乱をより積極的に防止できる。
【００３０】
散乱防止用覆いに使用する部材であって、複数の棒状体を柔軟弾性材によって曲折可能に接続するか、複数の棒状体を柔軟弾性体によって覆われた部材によって曲折可能に接続した、投入口を地上から浮かすための構成体であるため次の効果を奏する。
【００３１】
棒状体がつながっていることから取り扱いが容易であり、設置や収納の作業が簡便になる。
【発明を実施するための最良の形態】
【００３２】
本発明は生ごみ等の収集物の覆いとして使用する網や布である布状体による散乱防止用覆いであって、前記布状体に収集物の投入口を設けたことを特徴とする。具体的実施の形態について、以下、図に基づいて説明する。
【実施例１】
【００３３】
図１は実施例１の斜視図である。ごみ類等をまとめて、これを覆うことのできる網や布である布状体１によって構成された散乱防止用覆いであって、当該布状体１の周縁部１１から少なくとも３０ｃｍ以上内側に向かって離れた位置に、前記ごみ類等を投入するための投入口２を設ける。周縁部１１及び投入口２には補強を適宜施す。使用に当たっては周縁部１１を布状体１の下に折り込み、投入口２を開き、布状体１の下にごみ袋３を押し込む。投入口２には蓋を設けることが可能であり、蓋を設けた場合には投入口を大きく設定しても、開口部から鳥獣の侵入することを防げる。
【００３４】
図２は実施例１の使用の状態を示す、布状体１の断面図である。投入口２から押し込まれたゴミ袋３は、布状体１の下に折り込まれてある周縁部１１の上に落ち、該周縁部１１を下に向かって押しつけることから集積されたゴミ袋３は布状体１によって確実に覆われる。カラスは、被いであるネット等の下部に隙間を見つけ頭を侵入させてゴミ袋を引き出した後、これを食いちぎって、内容物を散乱させることが知られている。本実施例では路面１０と布状体１の間に隙間ができず、カラス等の鳥獣が侵入して食い散らかすことが不可能となる。撤去時には布状体１を引き上げるだけで集積されたごみ袋３等の集荷物と布状体１を容易に分離できる。
【実施例２】
【００３５】
図３は実施例２の斜視図である。本実施例では、布状体１を筒状等立体的に縫製して内部に立体的な空間を形成し易くする。立体的な空間が形成し易いことから投入口２よりゴミ袋等の集荷物が投入し易くなる。更に、布状体１の縫製部に補強１２を施す。立体的に縫製した側面下部に裾１３を設けることが可能であり、裾１３に縦方向に切れ目１４を形成して当該裾１３を内側に折り返し易くする。この場合には、投入した収集物が前記裾１３の上に載りやすく、収集物の散乱が確実に防げる。又カラスや野良猫等の鳥獣が覆いの下部より侵入することも不可能となる。
【実施例３】
【００３６】
図４の図Ａは実施例３の斜視図である。本実施例は覆い１を上面用布状体１５と下面用布状体１６を重ね合わせ、当該下面用布状体１６の一部を切り欠いて下部開口部１７を設けたものとし、覆い１の内部に集荷物が蓄積されるに従い、布状体の中央部が盛り上がって立体を呈するように構成されたものである。平面的な布状体を２枚合わせた構成であっても、実際の使用に当たっては、上面用布状体１５と下面用布状体１６の間に収集物が収まって、前記布状体のそれぞれが上と下に向かってふくらむことから実質的には図Ｂのような立体となる。図Ｂは実施例３の断面図である。
【００３７】
重ね合わせて縫製された前記覆いの、任意の場所における垂直方向の切断面において、下部開口部１７の幅Ｌ２が前記覆い１の横幅最長部Ｌ１よりも短く、前記下部開口部１７が前記布状体の周縁部１１よりも内側に位置するように構成した場合、ゴミ袋等の収集物が下面用布状体１６の上に載り、当該下面用布状体１６を路面に押さえつけることからカラスや野良猫等の鳥獣の侵入を防ぐ効果が大きい。
【実施例４】
【００３８】
図５は実施４の斜視図である。
支柱４を設け、布状体１をこれに掛着して布状体１及び投入口２を路面１０から浮かせ、ごみ袋３等の収集物を投入し易くしたものである。基本的な効果は実施例１と同じであるが、投入口２が路面１０から浮いていることから投入に当たってしゃがむ必要が無く、素早く投入できる点において利便性が高い。又、ここでは投入口２に開閉手段５を設けた散乱防止用覆いを提示する。開閉手段があることからゴミ袋等の投入が更に素早く出来るようになる。本図では開閉手段５である引き紐５１の設置したことで使い勝手がよくなる。
【００３９】
図６は図４に示した実施４に於ける投入口２の拡大図である。下に向かって湾曲した開口部の周縁には柔軟な投入口補強材２１を配し、柔軟な材質による投入口補強材２１の内部には硬質の補強材２２を設ける。引き紐５１を手前に引くと垂れ下がっている投入口２の下部が手前方向に引き寄せられ、投入口２が大きく開く。投入口２の形状は様々に成形可能であり、本図のように湾曲したものは大きく開口することが可能であり、弾性材を投入口補強材２１として使用し、直線的な形状の開口部を有するものは布状体１の折り畳みがし易い。
【実施例５】
【００４０】
図７は実施例５の斜視図である。本実施例では投入口２に、開閉手段５である蓋５２を有する投入口Ｂ２０を設けた布状体１による散乱防止用覆いを提示する。開閉手段５が蓋５２であることから、ゴミ袋３の投入が、蓋をめくることで容易になる。蓋周縁には、ゴム状素材等で形成するか内部に針金等を入れるなどした一定の重さを有する蓋の枠５２１を配すことで覆い本体である布状体１と蓋５２の密着性が高まり、開閉の動作もし易くなる。開閉手段としては足踏みペダルを有する支柱を使用することも可能であり、この場合両手に持ったゴミ袋を次々投入できる。
【００４１】
又、実施例４が支柱４によって布状体１を点として支えたのに対し、本実施例は腕部４１によって、布状体１の中央部を路面１０から面状に浮かせる構成としたものである。布状体１を路面１０から面状に浮かせることで、布状体１によって覆われた内部空間が立体的に確保され、ゴミ袋３が投入しやすくなり、投入されたゴミ袋３は内部で積み重なって、少ない設置面積で多量の集積が出来るようになる。
【実施例６】
【００４２】
図８は実施例６の斜視図である。本実施例は実施例５が支柱４と腕部４１がそれぞれ二つであったのに対し、支柱４及び腕部４１がそれぞれ一つで構成されている。それ以外に相違点は無く、基本的な効果にも違いはない。腕部４１は柔軟な弾性材によって形成される。布状体１は矩形である他、円形や楕円形あるいは筒状に縫製したもの等を含むものとする。筒状に縫製したものは布状体１の下部が横へ広がることを押さえ、内容物を立体的に集積し易くする効果を有する。
【実施例７】
【００４３】
図９は実施例７の斜視図であり、複数本の支柱４を連結体４２で結んだものである。実施例５及び実施例６に於ける腕部４１が支柱４に固定されているものであるのに対し、連結体は４２は支柱４に掛着して支柱と支柱を結んだものであり、縄や鎖や棒状体によって形成される。本図に於ける布状体１及び投入口２は使用時を想定した想像図である。腕部を有するものと大きな違いはないが分解が容易であり、使用が簡便となる。
【実施例８】
【００４４】
図１０は実施例８に於ける支柱４への連結体４２の取り付け方を表した掛着部位の拡大図である。図Ａは円錐形をした支柱Ｂ４０への連結体Ｂ４２１（４２）の取り付け方を示す斜視図であり、連結体Ｂ４２１を矢印方向である下方向に移動させ、連結体Ｂ４２１の先端につけた掛着部Ａ４２１１を支柱Ｂ４０の頭部へ冠着させることで取り付ける。組み立て分解が容易であり、移動も容易である。支柱は次々と嵌合するように積み重ねることが出来、少ない占有面積で保管でき、保管の場所を選ばない。
【００４５】
図Ｂは支柱Ｃ４０１への連結体Ｃ４２２（４２）の取り付け方を示す斜視図であり、連結体Ｃ４２２を矢印方向である下方向に移動させ、連結体Ｃ４２２の先端につけた掛着部Ｂ４２１２を支柱Ｃ４０１の頭部の先端に設けた掛着孔４２１３に掛着させることで取り付ける。図Ｃは支柱Ｄ４０２への連結体Ｄ４２３（４２）の取り付け方を示す斜視図であり、連結体Ｄ４２３を矢印方向である水平方向に移動させ、支柱Ｄ４０２に開けた掛着孔Ｂ４２１４に挿嵌させることで取り付ける。          
【実施例９】
【００４６】
図１１は実施例９の斜視図である。ここでは、前記支柱４、前記腕部４１、前記連結体４２のいずれかの部材として使用する棒状体、あるいは前記支柱４、前記腕部４１および前記連結体４２の内の複数による複合体が、複数の棒状体４１０を曲折可能に接続する連結部８が棒状体４１０のと棒状体４１０の間に接続部４２０を設け、一の連結部８対し複数個の回動部４１１を有して構成される連結部８を有する支柱もしくは腕部によって支持されることを特徴とする散乱防止用覆いを提示する。
【００４７】
二つの棒状体４１０が接続部４２０をはさんで複数の回動部４１１で連結される。連結部全体は柔軟弾性体によるカバー４４０によって保護される。棒状体４１０を二つ折り等に折り曲げた時に接続部４２０が棒状体４１０と棒状体４１０を離す役目をすることから、前記棒状体４１０と棒状体４１０の間に指等を挟みにくく、前記散乱防止用覆いの管理が高齢者にゆだねられた場合であっても怪我等の事故が発生しにくい。
【実施例１０】
【００４８】
図１２は実施例１０の斜視図である。ここでは、前記支柱４、前記腕部４１、前記連結体４２のいずれかの部材として使用する棒状体４１０、あるいは前記支柱４、前記腕部４１、前記連結体４２の内の複数による複合体が曲折可能な弾性体による接続部Ｂ４３０によって接続した構成である連結部８を有する散乱防止用覆いを提示する。棒状体がつながっていることから取り扱いが容易であり、簡便になる。又曲折部に指等を挟んでも怪我をする危険性が少ない。
【実施例１１】
【００４９】
図１３は実施例１１の斜視図であり、布状体１の周縁部に沿って目隠し部６を設けたものである。カラスはゴミ袋３内部の生ごみをあさる場合に視覚によって内容物を認識することが知られている。布状体１と路面１０との間に隙間を作ってしまった場合でも、目隠し部６を設けることでカラスがゴミ袋の内部を確認できなくなることから興味を持たず、食い散らかしの被害防ぐ効果が生じる。また、透明部より内部が確認できると共に、周囲は視界を遮って美観を保つことが出来る。
【実施例１２】
【００５０】
図１４は実施例１２の斜視図であり、布状体１の周縁部に沿って密着手段７を設けたものである。ここでは前記密着手段が布状体１の周縁に設けた柔軟弾性体７１である散乱防止用覆いを提示する。カラスはゴミ袋３内部の生ごみをあさる場合に路面と覆いとのわずかな隙間から首を差し入れ、ゴミ袋を引き出して食いちぎることが知られている。密着手段７である柔軟弾性体７１を設けることでカラスの侵入を妨げ、食い散らかしの被害防ぐ効果が生じる。柔軟弾性体はゴム、ビニール等の板状体又はホース等によって形成される。
【実施例１３】
【００５１】
図１５は実施例１３の斜視図であり、ここでは前記密着手段７が布状体１の周縁に設けたおもり７２である散乱防止用覆いを提示する。平らなネットによる覆いにおもりをつけた場合、ごみを搬入する人がごみ袋をネットの中心部に十分押し込まないことから、ネットにおもりが付いていても、ネットの端がゴミ袋にかかって浮いてしまうという現象が起きる。本実施例では投入口２を有していることから布状体１の周縁部がゴミ袋３の上に載ってしまうことが無く、おもり７２を有することで布状体１の周縁部が路面に密着し、カラスの侵入を妨ぎ、食い散らかしの被害防ぐ効果が生じる。密着手段はこの他、柔軟な素材による布等や針金や金属板の小片を連結した物等様々な物によって構成可能であり、密着することでカラス等鳥獣の侵入を防ぐことが出来る。
【実施例１４】
【００５２】
図１６は実施例１４の斜視図である。ここでは前記腕部４１もしくは連結体４２を手前に傾斜させることで、投入口２を有する布状体１の面が投入者に対し手前方向に傾斜する構成である散乱防止用覆いを提示する。 投入口２を有する布状体１の面が手前方向に傾斜することから、投入口２を有する布状体１の面がほぼ水平であるものに比べゴミ袋３等の投入がし易くなる。本実施例では支柱４として、背の高い支柱Ｂ大４０３と背の低い支柱Ｂ小４０４を用い、当該二つの支柱を繋ぐことで連結部４２を手前に傾斜させている。 
【実施例１５】
【００５３】
図１７は実施例１５の斜視図である。ここでは布状体１の任意の場所に、威嚇用の模様９を配すことで、鳥獣を寄せ付けず、鳥獣の侵入を防止する構成である散乱防止用覆いを提示する。威嚇効果のある模様としては大きな目玉の模様、光る円盤、黄と黒の縞模様などが知られている。本願発明はカラス等の鳥獣が内部の生ごみ等を食い散らかそうとしてもこれを防ぐということを大きな目的としているが、カラスが近寄ってこなくなるという効果と相まってより高い散乱防止効果が期待できる。
【実施例１６】
【００５４】
図１８は実施例１６の斜視図である。本発明である散乱防止用覆いの否使用時の扱いについて示したものである。本発明の散乱防止用覆いは極めて簡単な構成であるため、図のように支柱４等である棒状体を布状体１で巻くなど、コンパクトに収納できる。当番が交代で持ち帰り、ごみの収集日に持ち出しては、カラスや野良猫等鳥獣よけのゴミ袋の覆いとして使用するという使用方法に極めて適した散乱防止用覆いと言える。このほか廃品回収等に於ける紙類散乱防止等にも適している。
【図面の簡単な説明】
【００５５】
【図１】実施例１の斜視図である。
【図２】実施例１の使用の状態を示す、布状体１の断面図である。
【図３】実施例２の斜視図である。
【図４】図Ａは実施例３の斜視図である。                      図Ｂは実施例３の断面図である。
【図５】実施例４の斜視図である。
【図６】実施例４に於ける開口部の拡大図である。
【図７】実施例５の斜視図である。
【図８】実施例６の斜視図である。
【図９】実施例７の斜視図である。
【図１０】実施例８に於ける掛着部位の拡大図である。
【図１１】実施例９の斜視図である。
【図１２】実施例１０の斜視図である。
【図１３】実施例１１の斜視図である。
【図１４】実施例１２の斜視図である。
【図１５】実施例１３の斜視図である。
【図１６】実施例１４の斜視図である。
【図１７】実施例１５の斜視図である。
【図１８】実施例１６の斜視図である。
【符号の説明】
【００５６】
１  布状体
１０  路面
１１  布状体の周縁部
１２  補強
１３  裾
１４  切れ目
１５  上面用布状体
１６  下面用布状体
１７  下部開口部
２  投入口
２０  投入口Ｂ
２１  投入口補強材
２２  硬質の補強材
３  ごみ袋
４  支柱
４０  支柱Ｂ
４０１  支柱Ｃ
４０２  支柱Ｄ
４０３  支柱Ｂ大
４０４  支柱Ｂ小
４１  腕部
４１０  棒状体
４１１  回動部
４２  連結体
４２０  接続部
４２１  連結体Ｂ
４２１１  掛着部Ａ
４２１２  掛着部Ｂ
４２１３  掛着孔
４２１４  掛着孔Ｂ
４２２  連結体Ｃ
４２３  連結体Ｄ
４３０  接続部Ｂ
４４０  カバー 
５  開閉手段
５１  引き紐
５２  蓋
５２１  蓋の枠
６  目隠し部
７  密着手段
７１  柔軟弾性体
７２  おもり
８  連結部
９  威嚇用の模様９
Ｌ１  覆いの横幅最長部
Ｌ２  下部開口部の幅
【要約】
【課題】  無造作に投棄してもゴミ袋を確実に覆うことができ、本体がコンパクトで持ち運びや収納のし易い、簡単な構造の「散乱防止用覆い」を提供すること。
【解決手段】廃棄物等をまとめて、これを覆うことのできる網や布である布状体によって構成され、当該布状体内に、前記ごみ類等を投入するための投入口を設けたことを特徴とする覆いであって、前記覆いを広げ、ごみ袋や廃品である収集物を投入口から投入することで前記覆いが当該収集物を覆い、ごみ類が散乱することを防止できるようにした散乱防止用覆いを供する。立体的に縫製された前記覆いの、任意の場所における垂直方向の切断面において、下部開口部の幅が前記覆いの横幅最長部よりも短く、前記下部開口部が前記布状体の周縁部よりも平面的に見て内側に位置することを特徴とする散乱防止用覆いを供する。
【選択図】        図１
【図１】
0003585126.tif 000002
【図２】
0003585126.tif 000003
【図３】
0003585126.tif 000004
【図４】
0003585126.tif 000005
【図５】
0003585126.tif 000006
【図６】
0003585126.tif 000007
【図７】
0003585126.tif 000008
【図８】
0003585126.tif 000009
【図９】
0003585126.tif 000010
【図１０】
0003585126.tif 000011
【図１１】
0003585126.tif 000012
【図１２】
0003585126.tif 000013
【図１３】
0003585126.tif 000014
【図１４】
0003585126.tif 000015
【図１５】
0003585126.tif 000016
【図１６】
0003585126.tif 000017
【図１７】
0003585126.tif 000018
【図１８】
0003585126.tif 000019